(57)【要約】      （修正有）【課題】検知データを自動受信および送信できる無線通信デバイスを提供する。【解決手段】無線通信デバイス１０００は、無線送受信機１１００、アナログ‐デジタル変換器（ＡＤＣ）１２００及びプロセッサ１３００を含む。ＡＤＣは、センサ３０００からの検知値を読み出して検知データを発生するように構成される。プロセッサは、無線送受信機及びＡＤＣに電気的に接続される。割り込み要求が検出されると、プロセッサは、無線送受信機を介して検知データを送る。【選択図】図１
2018023087.tif 000002
【特許請求の範囲】
【請求項１】
無線通信デバイスであって、
検知値を読み出して検知データを発生するように構成されるアナログ‐デジタル変換器、
前記アナログ‐デジタル変換器に電気的に接続されるプロセッサ、及び
前記プロセッサに電気的に接続される無線送受信機を備え、前記プロセッサは、割り込み要求を検出すると、前記無線送受信機を介して前記検知データを送る無線通信デバイス。
【請求項２】
前記プロセッサは、起動されると、所定値を読み出し、且つ前記プロセッサは、前記所定値が第１の状態である時に、電子デバイスから送られる割り込み要求を待ち、且つ前記プロセッサは、前記所定値が第２の状態である時に、前記割り込み要求を周期的に発生する請求項１に記載の無線通信デバイス。
【請求項３】
前記無線通信デバイスは、前記プロセッサに電気的に接続され且つ前記所定値を記憶するように構成される記憶媒体を更に備える請求項２に記載の無線通信デバイス。
【請求項４】
前記無線通信デバイスは、前記プロセッサに電気的に接続され且つ前記プロセッサを介して前記記憶媒体に記憶された前記所定値を変更するように構成される通信ポートを更に備える請求項３に記載の無線通信デバイス。
【請求項５】
前記無線通信デバイスは、前記記憶媒体に電気的に接続されたスイッチを更に備え、且つ前記所定値は、前記スイッチが起動されると、前記第１の状態にリセットされる請求項３に記載の無線通信デバイス。
【請求項６】
前記無線通信デバイスは、前記プロセッサに電気的に接続されたスイッチを更に備え、且つ前記所定値の状態は、前記スイッチの状態によって決定される請求項２に記載の無線通信デバイス。
【請求項７】
前記プロセッサは、前記検知データを送る時に、前記無線送受信機を介してメディアアクセスコントロールアドレスを更に送る請求項１に記載の無線通信デバイス。
【請求項８】
前記無線通信デバイスは、前記プロセッサ及び前記アナログ‐デジタル変換器に電気的に接続された比較器を更に備え、且つ前記検知データが所定条件を満足すると、前記比較器は、前記割り込み要求を発生する請求項１に記載の無線通信デバイス。
【請求項９】
前記無線通信デバイスは、前記プロセッサに電気的に接続されたスイッチを更に備え、且つ前記スイッチが起動されると、前記割り込み要求が発生される請求項１に記載の無線通信デバイス。
【発明の詳細な説明】
【技術分野】
【０００１】
本開示は、無線通信デバイスに関し、より具体的には、インターネットオブシングズ（ＩｏＴ）技術に採用される無線通信デバイスに関する。
【背景技術】
【０００２】
無線通信デバイスは、無線で通信する能力を提供し、従って、それらは、多種のデバイス及び用途に広く採用されている。無線通信デバイスは、通常、ベースバンドと無線送受信機を備えており、且つスレーブデバイスとして電子デバイスによって制御される。
【０００３】
環境及びデバイスの状態監視のデータ送信は、Ｉｏｔの開発に伴って、次第に、無線通信デバイスのための用途になってきている。しかしながら、余分な制御無線通信デバイスを電子デバイスに組み込むことによって又は余分な主プロセッサをセンサに組み込むことによって、当該電子デバイスの難しさが増加される可能性があり得るのみならず無線通信デバイスのボリュームを拡大することになり得る。従って、マスターデバイス無しで動作できる無線通信デバイスを提供する方法は、解決されるべき課題になっている。
【発明の概要】
【発明が解決しようとする課題】
【０００４】
上述の課題に関して、検知データを自動受信及び送信できる無線通信デバイスが本開示で提供される。
【課題を解決するための手段】
【０００５】
本開示の一実施形態によれば、無線通信デバイスが開示される。この無線通信デバイスは、無線送受信機、アナログ‐デジタル変換器（ＡＤＣ）、及びプロセッサを備える。ＡＤＣは、検知値を読み出して一つの検知データを発生する。プロセッサは、無線送受信機及びＡＤＣに電気的に接続される。割り込み要求が検出されると、プロセッサは、無線送受信機を介して当該一つの検知データを送る。
【図面の簡単な説明】
【０００６】
本開示は、以降で与えられる詳細な説明及び例として与えられるに過ぎず、従って、本開示を限定しない添付の図面からより十分に理解される。
【０００７】
【図１】本開示の一実施形態の無線通信デバイスの機能ブロックを示す概略図である。
【図２】本開示の他の一実施形態の無線通信デバイスの機能ブロックを示す概略図である。
【図３】本開示の他の一実施形態の無線通信デバイスの機能ブロックを示す概略図である。
【図４】本開示の更に他の一実施形態の無線通信デバイスの機能ブロックを示す概略図である。
【発明を実施するための形態】
【０００８】
以下の詳細な記述において、説明のために、多くの特定の細部が、開示の実施形態の全体的理解を提供するために述べられる。しかしながら、一つ以上の実施形態が特定の細部無しに実施できることは明らかである。他の例では、周知の構造及びデバイスが図面を簡略化するために概略的に示される。
【０００９】
図１は、本開示の一実施形態の無線通信デバイスの機能ブロックを示す概略図である。図１に示されるように、無線通信デバイス１０００は、無線送受信機１１００、アナログ‐デジタル変換器（ＡＤＣ）１２００及びプロセッサ１３００を備えている。
【００１０】
無線通信デバイス１０００が使用されている時に、ＡＤＣ１２００は、その検知値を読み出し、次に検知データを発生するために一つ以上のセンサに接続されている。ＡＤＣ１２００が二つのセンサ２０００，３０００に接続されている例は、以下の説明のために採用されるが、センサの数は、異なる要請に関して当業者によって調節でき、従って、本開示の範囲に限定されない。本実施形態では、センサ２０００は、限定するわけではないが、温度センサであってよく、且つセンサ３０００は、限定するわけではないが、湿度センサであってよい。ＡＤＣ１２００は、フラッシュＡＤＣ、逐次近似ＡＤＣ、デルタ‐シグマＡＤＣ、パイプラインＡＤＣ、又は他の種類のＡＤＣのようなものであり得る。
【００１１】
一例示の実施形態では、センサ２０００及びセンサ３０００は、病室（病室番号２０４６）に設置され、センサ２０００は１５秒ごとにＡＤＣ１２００への温度検知値を更新し、且つセンサ３０００は、３０秒ごとにＡＤＣ１２００への湿度検知値を更新する。ＡＤＣ１２００は、３０秒ごとに一回切り替わる。例えば、朝１０時０５分００秒に、ＡＤＣ１２００は、センサ２０００から送り返された温度検知値を読み出し、且つ朝１０時０５分３０秒に、ＡＤＣ１２００は、センサ３０００から送り返された湿度検知値を読み出す。ＡＤＣ１２００が検知値を読み出した後に、検知値は、検知データに変換されてプロセッサ１３００に送られる。
【００１２】
プロセッサ１３００は、無線送受信機１１００及びＡＤＣ１２００に電気的に接続され、且つプロセッサ１３００は、無線送受信機１１００を介して割り込み要求を検出した後に検知データを送信する。一実施形態では、プロセッサ１３００は、レジスタ又はフラッシュメモリが組み込まれており、且つＡＤＣ１２００から送られた検知データを受信すると、レジスタ／フラッシュメモリに記憶された検知データは更新される。一実施形態では、フラグがＡＤＣ１２００からプロセッサ１３００へ送られる検知データに取り付けられ、従って、プロセッサ１３００は、検知データの各々に取り付けられたフラグに基づいて、レジスタ／フラッシュメモリに記憶された対応する検知データを更新することを決定できる。プロセッサ１３００が割り込み要求を受信すると、プロセッサ１３００は、無線送受信機１１００を介してレジスタ／フラッシュメモリに記憶された検知データを送る。一実施形態では、検知データを受信するサーバが検知データのソースを識別できるために、プロセッサ１３００は、メディアアクセス制御アドレス（ＭＡＣアドレス）を有する一つ以上の検知データをパッケージに書き込み、且つ無線送受信機１１００を介してそれを送信する。
【００１３】
一実施形態では、プロセッサ１３００は、無線通信デバイス１０００が起動されると、所定の値を読み出す。所定の値が第１の状態である時に、プロセッサ１３００は、無線通信デバイス１０００が電気的に接続された電子デバイス４０００から送られた割り込み要求を待つ。更に、所定の値が第２の状態である時に、プロセッサ１３００は、周期的に割り込み要求を発生する。
【００１４】
より具体的には、無線通信デバイス１０００は、所定の値が第１の状態にある時に、電子デバイス４０００によって制御される。すなわち、この状態下にある時に、無線通信デバイス１０００は、電子デバイス４０００が送信を求める無線信号を送信するために使用される。加えて、所定の値が第２の状態にある時に、無線通信デバイス１０００は、電子デバイス４０００無しで、接続されたセンサから検知値を読み出し且つその値を対応するサーバに送ることができる。
【００１５】
一実施形態では、電子デバイス４０００を接続するための無線通信デバイス１０００の接続ポート１００１は、検出ピンを有する。電子デバイス４０００が接続ポート１００１に接続されていない時に、検出ピンは、所定の値を第２の状態にさせる。反対に、電子デバイス４０００が接続ポート１００１に接続される時に、検出ピンは、所定の値を第１の状態にする。一例では、検出ピンは、電子デバイスの接地ピンに対応するように構成され、且つ検出ピンは、抵抗器を介して無線通信デバイス１０００の電源高電圧端子に接続される。従って、接続ポート１００１が電子デバイス４０００に接続されない時に、検出ピンの電圧は、高レベル（第２の状態）にあり、且つそうでない場合には、低レベル（第１の状態）にある。上述の態様／性能は、一例として解釈されるべきであり、当業者は、電子デバイスを検出するための検出ピンを改造したり変更したりでき、従って、本開示の範囲を限定しているとすべきではない。
【００１６】
一実施形態では、図１に示されるように、無線通信デバイス１０００は、スイッチ１４００を更に備える。スイッチ１４００の状態は、前記所定の値に対応する。例えば、スイッチ１４００は、押圧及び解除状態を備え、押圧状態は、所定の値の第１の状態に対応し且つ解除状態は、所定の値の第２の状態に対応する。換言すれば、スイッチ１４００が押圧されると、所定の値は、第１の状態になり、且つプロセッサ１３００は、割り込み要求を周期的に発生する。スイッチ１４００が押圧されていない時に、所定の値は、第２の状態になり、且つプロセッサ１３００は、電子デバイスによって制御されるべきである。他の一実施形態では、スイッチ１４００は、接続ポート１００１の外周に組み込まれることができ、スイッチ１４００は、電子デバイス４０００が接続ポート１００１に繋がると、押圧される。スイッチ１４００は、電子デバイス４０００が接続ポート１００１から外されると、押圧状態から解除状態に回復する。
【００１７】
一実施形態では、スイッチ１４００は、所定の値を調整するためではない。代わりに、それは、割り込み要求を発生するために使用される。スイッチ１４００が起動されると、スイッチ１４００は、一つの割り込み要求をプロセッサ１３００に送信し、プロセッサ１３００に無線送受信機１１００を介してその時の検知データを送信させる。実際の用途では、病室の患者がナースコールボタンを押すと、その病室の現在の温度と湿度が同時にサーバに送出され、次に、ナースステーションの職員がその温度と湿度が患者を不快にするか否かをチェックできる。
【００１８】
他の一実施形態では、図２が説明のために添付されている。図２は、本開示の他の一実施形態の無線通信デバイスの機能ブロックを示す概略図である。図１の実施形態と比較すると、図２の無線通信デバイス１０００Ａは、プロセッサ１３００に電気的に接続された記憶媒体１５００を更に備える。記憶媒体１５００は、所定の値を記憶するように構成される。本実施形態では、記憶媒体１５００は、ＡＤＣ１２００からプロセッサ１３００へ送信された検知データを更に記憶する。起動された時に無線通信デバイス１０００のために正確な所定値を読み出すために、記憶媒体１５００は、不揮発性記憶媒体である。本実施形態では、ユーザは、サーバから無線送受信機１１００に命令を送ることができ、プロセッサ１３００に無線送受信機１１００を介して命令を受信させ且つ対応して記憶媒体１５００に記憶された所定値を変更させる。他の一実施形態では、ユーザは、最初に、電子デバイス４０００を無線通信デバイス１０００Ａに接続し、且つ記憶媒体１５００に記憶された所定の値を変更するために電子デバイス４０００によってプロセッサ１３００を制御する。一実施形態では、図２に示されるように、無線通信デバイス１０００Ａは、スイッチ１４００を更に備えることができる。スイッチ１４００が起動されると、記憶媒体の所定値が第１の状態にリセットされる。
【００１９】
より具体的には、一実施形態では、無線通信デバイス１０００Ａは、センサ２０００、センサ３０００及び電子デバイス４０００に同時に電気的に接続され、記憶媒体１５００に記憶された所定の値は、第２の状態にある。センサ２０００，３０００から送られた検知データは、記憶媒体１５００に書き込まれる。プロセッサ１３００は、割り込み要求を周期的に発生し、記憶媒体１５００から検知データを読み出して無線送受信機１１００を介して検知データをサーバに送る。その間に、電子デバイス４０００は、プロセッサ１３００に対する命令と割り込み要求と共にそのデータを送信でき、プロセッサ１３００に無線送受信機１１００を介して電子デバイス４０００からそのデータ及び／又は命令を送信させ、更に、記憶媒体１５００の検知データもまた共に送出できる。ユーザは、無線通信デバイス１０００Ａが検知データを自動的且つ周期的に送信することを望む代わりに、電子デバイス４０００が命令及び／データを送信する時に同時に無線通信デバイス１０００Ａが検知データを送信することを望んでもよい。それによって、ユーザはスイッチ１４００を押圧することによって、記憶媒体１５００の所定値を第１の状態に書き直させることができる。
【００２０】
他の一実施形態では、図３が説明のために添付されている。図３は、本開示の他の一実施形態の無線通信デバイスの機能ブロックを示す概略図である。図２の実施形態と比較すると、無線通信デバイス１０００Ｂは、プロセッサ１３００に電気的に接続された通信ポート１６００を更に備え、且つプロセッサ１３００を介して記憶媒体１５００に記憶された所定値を変更するように構成される。より具体的には、通信ポート１６００は、集積回路（Ｉ２Ｃ）であり得る。ユーザは、Ｉ２Ｃを介してプロセッサ１３００を制御して所定値を変更できる。
【００２１】
他の一実施形態において、図４が説明のために添付されている。図４は、本開示の更に他の一実施形態の無線通信デバイスの機能ブロックを示す概略図である。図１に実施形態と比較すると、無線通信デバイス１０００Ｃは、比較器１７００を更に備える。比較器１７００は、プロセッサ１３００及びＡＤＣ１２００に電気的に接続されている。検知データが設定条件（例えば、湿度検知値が閾値よりも大きい、或いは温度検知値が閾値よりも小さい）に一致する場合、比較器１７００は、割り込み要求をプロセッサ１３００に送る。換言すれば、無線通信デバイス１０００Ｃは、ある状態下で検知データを送信していることができる。
【００２２】
要約すれば、本開示の一つ以上の実施形態における無線通信デバイスによれば、ＡＤＣは、検知データを読み出すために備えられ、且つ検知データは、周期的な割り込み要求／割り込み要求の起動によって自動的に送信される。
【図１】
2018023087.tif 000003
【図２】
2018023087.tif 000004
【図３】
2018023087.tif 000005
【図４】
2018023087.tif 000006